(57)【特許請求の範囲】
【請求項１】
複数のｊビット（ｊは、１以上の自然数）からなるデータ信号のうち、第１グループに含まれる第１データ信号を反転させるインバータと、
第１変換回路と第２変換回路からなるコンバータと、を含み、
前記コンバータは、前記第１変換回路及び前記第２変換回路に共通して接続される２ｊ個のガンマ電圧を受信する２ｊ個のガンマ電圧ラインを有し、
前記第１変換回路は、複数の第１ガンマ電圧選択回路からなり、前記複数の第１ガンマ電圧選択回路の各々は、前記複数のデータ信号のうち、第２グループに含まれる第２データ信号を受信して前記２ｊ個のガンマ電圧ラインのうち前記第２データ信号に対応するガンマ電圧を選択することにより第１ガンマ電圧を出力し、
前記第２変換回路は、複数の第２ガンマ電圧選択回路からなり、前記複数の第２ガンマ電圧選択回路の各々は、前記インバータに連結され、前記反転された第１データ信号を受信して前記２ｊ個のガンマ電圧ラインのうち前記反転された第１データ信号に対応するガンマ電圧を選択することにより第２ガンマ電圧を出力するものであって、
前記第１ガンマ電圧選択回路の各々は、２ｊ個のガンマ電圧ラインのうち、２ｉ（ｉは、１以上の自然数）番目ガンマ電圧を受信する２ｉ番目ガンマ電圧ラインと、２ｉ−１番目ガンマ電圧を受信する２ｉ−１番目ガンマ電圧ラインとの間に配置され、
前記第２ガンマ電圧選択回路の各々は、前記２ｊ個のガンマ電圧ラインのうち、前記２ｉ番目ガンマ電圧ラインと、前記２ｉ−１番目ガンマ電圧ラインとの間に配置され、
前記第１ガンマ電圧選択回路が前記第２データ信号に応じて２ｉ番目ガンマ電圧ラインを選択する場合に、前記第２ガンマ電圧選択回路は前記反転された第１データ信号に応じて２ｉ番目ガンマ電圧ラインを選択することを特徴とするデータドライバ。
【請求項２】
前記データドライバは、出力バッファをさらに備え、前記出力バッファは、前記第１変換回路及び前記第２変換回路に連結され、前記コンバータから出力された前記第１ガンマ電圧及び前記第２ガンマ電圧を一時的に格納した後に出力することを特徴とする請求項１に記載のデータドライバ。
【請求項３】
前記第１ガンマ電圧選択回路の各々は、
受信された前記第２データ信号の最下位ビットに応答して、前記２ｉ番目ガンマ電圧と前記２ｉ−１番目ガンマ電圧のうち何れか一つを出力する第１電圧選択部と、
受信された前記第２データ信号の最下位ビットを除いた残りのビットに応答して前記第１電圧選択部から出力されたガンマ電圧を前記出力バッファに伝送または遮断する第１スイッチング部と、を含み、
前記第２ガンマ電圧選択回路の各々は、
前記反転された第１データ信号の最下位ビットに応答して、前記２ｉ番目ガンマ電圧と前記２ｉ−１番目ガンマ電圧のうち何れか１つを出力する、前記第１電圧選択部と反転された回路からなる第２電圧選択部と、
前記反転された第１データ信号の最下位ビットを除いた残りのビットに応答して、前記第２電圧選択部から出力されたガンマ電圧を前記出力バッファに伝送または遮断し、前記第１スイッチング部と反転された回路からなる第２スイッチング部と、を含むことを特徴とする請求項２に記載のデータドライバ。
【請求項４】
前記第１電圧選択部は、
前記第２データ信号の最下位ビットを受信する制御端、前記２ｉ番目ガンマ電圧ラインから前記２ｉ番目ガンマ電圧を受信する入力端、及び前記第１電圧選択部の出力端子に連結した出力端を含む第１Ｎ型トランジスタと、
前記第２データ信号の最下位ビットを受信する制御端、前記２ｉ−１番目ガンマ電圧ラインから前記２ｉ−１番目ガンマ電圧を受信する入力端、及び前記第１電圧選択部の出力端子に連結された出力端を含む第１Ｐ型トランジスタと、を含み、
前記第２電圧選択部は、
前記反転された第１データ信号の最下位ビットを受信する制御端、前記２ｉ番目ガンマ電圧ラインから前記２ｉ番目ガンマ電圧を受信する入力端、及び前記第２電圧選択部の出力端子に連結した出力端を含む第２Ｐ型トランジスタと、
前記反転された第１データ信号の最下位ビットを受信する制御端、前記２ｉ−１番目ガンマ電圧ラインから前記２ｉ−１番目ガンマ電圧を受信する入力端、及び前記第２電圧選択部の出力端子に連結された出力端を含む第２Ｎ型トランジスタと、を含むことを特徴とする請求項３に記載のデータドライバ。
【請求項５】
前記第１スイッチング部は、前記第１電圧選択部の出力端子と前記出力バッファの入力端子との間に直列に連結されたｊ−１個（ｊは、２以上の自然数）のトランジスタを含み、前記第２スイッチング部は、前記第２電圧選択部の出力端子と前記出力バッファの入力端子との間に直列に連結されたｊ−１個のトランジスタを含むことを特徴とする請求項３または４に記載のデータドライバ。
【請求項６】
前記第１グループは、前記複数のデータ信号のうち、偶数番目のデータ信号からなり、前記第２グループは、奇数番目のデータ信号からなることを特徴とする請求項１乃至５のいずれか一項に記載のデータドライバ。
【請求項７】
従属的に連結された複数のステージからなり、順次に制御信号を出力するシフトレジスタと、
前記シフトレジスタから出力された前記制御信号に応答して、前記複数のデータ信号を格納するラッチと、をさらに含み、
前記ラッチは、前記第１グループに含まれる前記第１データ信号を、前記インバータに供給し、前記第２グループに含まれる前記第２データ信号を、前記コンバータに供給することを特徴とする請求項１乃至６のいずれか一項に記載のデータドライバ。
【請求項８】
ゲート電圧を順次出力するゲートドライバと、
複数のガンマ電圧を出力するデータドライバと、
前記ゲート電圧に応答して、前記複数のガンマ電圧に対応する映像を表示する表示部と、を含み、
前記データドライバは、
複数のｊビット（ｊは、１以上の自然数）からなるデータ信号のうち、第１グループに含まれる第１データ信号を反転させるインバータと、
第１変換回路と第２変換回路からなるコンバータと、を含み、
前記コンバータは、前記第１変換回路及び前記第２変換回路に共通して接続される２ｊ個のガンマ電圧を受信する２ｊ個のガンマ電圧ラインを有し、
前記第１変換回路は、複数の第１ガンマ電圧選択回路からなり、前記複数の第１ガンマ電圧選択回路の各々は、前記複数のデータ信号のうち、第２グループに含まれる第２データ信号を受信して前記２ｊ個のガンマ電圧ラインのうち前記第２データ信号に対応するガンマ電圧を選択することにより第１ガンマ電圧を出力し、
前記第２変換回路は、複数の第２ガンマ電圧選択回路からなり、前記複数の第２ガンマ電圧選択回路の各々は、前記インバータに連結され、前記反転された第１データ信号を受信して前記２ｊ個のガンマ電圧ラインのうち前記反転された第１データ信号に対応するガンマ電圧を選択することにより第２ガンマ電圧を出力するものであって、
前記第１ガンマ電圧選択回路の各々は、２ｊ個のガンマ電圧ラインのうち、２ｉ（ｉは、１以上の自然数）番目ガンマ電圧を受信する２ｉ番目ガンマ電圧ラインと、２ｉ−１番目ガンマ電圧を受信する２ｉ−１番目ガンマ電圧ラインとの間に配置され、
前記第２ガンマ電圧選択回路の各々は、前記２ｊ個のガンマ電圧ラインのうち、前記２ｉ番目ガンマ電圧ラインと、前記２ｉ−１番目ガンマ電圧ラインとの間に配置され、
前記第１ガンマ電圧選択回路が前記第２データ信号に応じて２ｉ番目ガンマ電圧ラインを選択する場合に、前記第２ガンマ電圧選択回路は前記反転された第１データ信号に応じて２ｉ番目ガンマ電圧ラインを選択することを特徴とする表示装置。
【請求項９】
前記データドライバは、出力バッファをさらに備え、前記出力バッファは、前記第１変換回路及び前記第２変換回路に連結され、前記コンバータから出力された前記第１ガンマ電圧及び前記第２ガンマ電圧を一時的に格納した後に出力することを特徴とする請求項８に記載の表示装置。
【請求項１０】
前記２ｊ個のガンマ電圧ラインに２ｊ個のガンマ電圧を供給するガンマ電圧発生部をさらに含むことを特徴とする請求項８または９に記載の表示装置。
【請求項１１】
前記第１ガンマ電圧選択回路の各々は、
受信された前記第２データ信号の最下位ビットに応答して、前記２ｉ番目ガンマ電圧と前記２ｉ−１番目ガンマ電圧のうち何れか１つを出力する第１電圧選択部と、
受信された前記第２データ信号の最下位ビットを除いた残りのビットに応答して前記第１電圧選択部から出力されたガンマ電圧を前記出力バッファに伝送または遮断する第１スイッチング部と、を含み、
前記第２ガンマ電圧選択回路の各々は、
前記反転された第１データ信号の最下位ビットに応答して、前記２ｉ番目ガンマ電圧と前記２ｉ−１番目ガンマ電圧のうち何れか１つを出力する、前記第１電圧選択部と反転された回路からなる第２電圧選択部と、
前記反転された第１データ信号の最下位ビットを除いた残りのビットに応答して、前記第２電圧選択部から出力されたガンマ電圧を前記出力バッファに伝送または遮断し、前記第１スイッチング部と反転された回路からなる第２スイッチング部と、を含むことを特徴とする請求項９に記載の表示装置。
【請求項１２】
前記データドライバは、
従属的に連結された複数のステージからなり、順次に制御信号を出力するシフトレジスタと、
前記シフトレジスタから出力された前記制御信号に応答して、前記複数のデータ信号を格納するラッチと、をさらに含み、
前記ラッチは、前記第１グループに含まれる前記第１データ信号を前記インバータに供給し、前記第２グループに含まれる前記第２データ信号を前記コンバータに供給することを特徴とする請求項９に記載の表示装置。
【請求項１３】
前記表示部は、ｋ×ｎ個のデータラインを含み、
前記データドライバは、前記出力バッファと前記表示部との間に配置され、ｋ個の伝送ゲート信号に応答してｎ個のガンマ電圧をｎ個のデータラインからなるｋ個のグループに順次印加する伝送ゲート回路をさらに含むことを特徴とする請求項１２に記載の表示装置。
【請求項１４】
前記ゲートドライバと前記データドライバは、前記表示部が備えられた基板上に集積されることを特徴とする請求項８に記載の表示装置。
【請求項１５】
前記第１グループは、前記複数のデータ信号のうち、偶数番目のデータ信号からなり、前記第２グループは、奇数番目のデータ信号からなることを特徴とする請求項８乃至１４のいずれか一項に記載の表示装置。
【発明の詳細な説明】
【技術分野】
【０００１】
本発明は、データドライバ及びこれを備えた表示装置に関し、より詳細には、表示パネル上に望ましい階調（ｇｒａｄａｔｉｏｎ）を正常に表示することのできるデータドライバ及びこれを備えた表示装置に関する。
【背景技術】
【０００２】
一般的に、液晶表示装置（Ｌｉｑｕｉｄ  Ｃｒｙｓｔａｌ  Ｄｉｓｐｌａｙ：ＬＣＤ）は、映像を表示する液晶表示パネルを具備し、液晶表示パネルに備えられた薄膜トランジスタの形態によって、ポリシリコン型ＬＣＤまたはアモルファス（Ａｍｏｒｐｈｏｕｓ）シリコン型ＬＣＤに区分される。
【０００３】
ポリシリコン型ＬＣＤの場合、液晶表示パネルにゲート信号を供給するゲートドライバ及びガンマ電圧を供給するデータドライバが、薄膜工程を通して集積される。それだけではなく、液晶表示パネルには、タイミングコントローラ、ガンマ電圧発生部などがさらに集積される。
【０００４】
液晶表示パネルに集積されるデータドライバの構成を見ると、データドライバは、シフトレジスタ、ラッチ、コンバータ、及び出力バッファなどを含む。ここで、コンバータは、ガンマ電圧発生部から複数のガンマ電圧を受信し、複数のガンマ電圧のうちタイミングコントローラから供給されるデータ信号に対応するガンマ電圧を選択して出力する。
【０００５】
コンバータ内で複数のガンマ電圧を受信する複数のガンマ電圧ラインは、データ信号が印加される信号ラインと交差する。したがって、信号ラインに印加されるデータ信号と複数のガンマ電圧ラインに印加されるガンマ電圧との間でカップリングが発生し、その結果、ガンマ電圧が、データ信号の論理状態によって、上昇、または下降することとなる。それにより、コンバータでは、データ信号に対応する正常なガンマ電圧を出力することができなくなり、このようなガンマ電圧の変化によって液晶表示パネルは、望ましい階調（ｇｒａｄａｔｉｏｎ）を正常に表示することができなくなる。
【発明の開示】
【発明が解決しようとする課題】
【０００６】
本発明は、上述の問題点に鑑みてなされたもので、その目的は、コンバータ内で発生するカップリング現象によって、正常に階調（ｇｒａｄａｔｉｏｎ）が表示されなくなることを防止するためのデータドライバを提供することである。
【０００７】
本発明の他の目的は、上述したデータドライバを備えた表示装置を提供することである。
【課題を解決するための手段】
【０００８】
上述した目的を達成すべく、本発明によるデータドライバは、インバータ、コンバータ、及び出力バッファを含む。インバータは、複数のデータ信号のうち、第１グループに含まれる第１データ信号を反転させる。コンバータは、第１及び第２変換回路からなる。第１変換回路は、複数のデータ信号のうち、第２グループに含まれる第２データ信号を受信して、第１ガンマ電圧に変換する。第２変換回路は、第１変換回路に対して反転された回路からなり、反転された第１データ信号を受信して、第２ガンマ電圧に変換する。出力バッファは、コンバータから出力された第１及び第２ガンマ電圧を一時的に格納した後に出力する。
【０００９】
本発明による表示装置は、ゲート電圧を順次出力するゲートドライバ、複数のガンマ電圧を出力するデータドライバ、及びゲート電圧に応答して複数のガンマ電圧に対応する映像を表示する表示部を含む。データドライバは、インバータ、コンバータ、及び出力バッファを含む。インバータは、反転された第１のデータ信号を発生させるために、複数のデータ信号のうち、第１グループに含まれる第１データ信号を反転させる。コンバータは、第１及び第２変換回路からなる。第１変換回路は、複数のデータ信号のうち、第２グループに含まれる第２データ信号を受信して、第１ガンマ電圧に変換する。第２変換回路は、第１変換回路に対して反転された回路からなり、反転された第１データ信号を受信して第２ガンマ電圧に変換する。出力バッファは、コンバータから出力された第１及び第２ガンマ電圧を一時的に格納した後に出力する。
【発明の効果】
【００１０】
このようなデータドライバ及びこれを備えた表示装置によると、コンバータとラッチとの間に第１グループのデータ信号を反転させるインバータを具備し、コンバータは、反転されない第２グループのデータ信号をガンマ電圧に変換する第１変換回路、及び第１変換回路に対して反転された回路構成を有し、反転された第１グループのデータ信号をガンマ電圧に変換する第２変換回路から構成される。したがって、信号ラインとガンマ電圧ラインとの間にカップリング現象が生じ、ガンマ電圧が変化した場合にも、使用者は、ガンマ電圧の変化に関わらず正常な映像を認識できる。
【発明を実施するための最良の形態】
【００１１】
以下、添付図面を参照して本発明の望ましい実施形態をより詳細に説明する。
【００１２】
図１は、本発明の第１の実施形態に係るデータドライバのブロック図である。
【００１３】
図１を参照すると、データドライバ１００は、シフトレジスタ１１０、ラッチ部１２０、インバータ部１３０、コンバータ部１４０及び出力バッファ部１５０からなる。
【００１４】
シフトレジスタ１１０は、従属的に連結されたｋ（ｋは、２以上の自然数）個のステージからなる。この実施形態では、４個のステージ（ＳＲＣ１、ＳＲＣ２、ＳＲＣ３、ＳＲＣ４．．．）を例示する。シフトレジスタ１１０の各ステージには、クロック信号ＣＫＨが供給され、最初のステージＳＲＣ１には、水平開始信号ＳＴＨが印加される。水平開始信号ＳＴＨが印加される最初のステージＳＲＣ１の動作が開始されると、ｋ個のステージ（ＳＲＣ１、ＳＲＣ２、ＳＲＣ３、ＳＲＣ４．．．）は、クロック信号（ＣＫＨ）に応答して順次、制御信号を出力する。
【００１５】
ラッチ部１２０は、ｋ個のラッチ１２１からなり、ｋ個のラッチ１２１は、ｋ個のステージ（ＳＲＣ１、ＳＲＣ２、ＳＲＣ３、ＳＲＣ４．．．）と一対一に対応して連結される。したがって、ｋ個のラッチ１２１は、ｋ個のステージ（ＳＲＣ１、ＳＲＣ２、ＳＲＣ３、ＳＲＣ４．．．）から順次出力された制御信号に応答して、ｋ個のデータ信号（Ｉ−Ｄａｔａ）を各々格納する。本発明の一例として、各データ信号は、６ビットからなる。
【００１６】
ラッチ部１２０は、格納されたｋ個のデータ信号（Ｉ−Ｄａｔａ）のうち、第１グループに含まれる第１データ信号をインバータ部１３０に供給し、ｋ個のデータ信号（Ｉ−Ｄａｔａ）のうち、第２グループに含まれる第２データ信号をコンバータ部１４０に供給する。本発明の一例として、第１グループは、ｋ個のデータ信号（Ｉ−Ｄａｔａ）のうち、偶数番目のデータ信号を含んでもよく、第２グループは、ｋ個のデータ信号（Ｉ−Ｄａｔａ）のうち、奇数番目のデータ信号を含んでもよい。
【００１７】
インバータ部１３０は、ｋ／２個のインバータ１３１からなり、ラッチ部１２０から供給されたｋ／２個のデータ信号を反転させて、コンバータ部１４０に印加する。
【００１８】
コンバータ部１４０は、ラッチ部１２０から供給された第２データ信号を第１ガンマ電圧に変換する複数の第１変換回路１４１、及びインバータ部１３０によって、反転された第１データ信号を第２ガンマ電圧に変換する複数の第２変換回路１４２からなる。ここで、第２変換回路１４２の各々は、第１変換回路１４１の各々に対し反転された回路になる。
【００１９】
コンバータ部１４０は、一定のレベル間隔で順次的に上げられた２ｊ個のガンマ電圧を受信する。ここで、ｊは、１以上の自然数であり、各データ信号のビット数である。本発明の一例として、各データ信号が６ビットからなるとすると、コンバータ部１４０は、６４個のガンマ電圧Ｖ１〜Ｖ６４を受信する。コンバータ部１４０の具体的な回路構成については、図２を参照してより具体的に後述する。
【００２０】
一方、出力バッファ部１５０は、ｋ個のオぺアンプ（ｏｐｅｒａｔｉｏｎａｌ  ａｍｐｌｉｆｉｅｒ）１５１からなり、コンバータ部１４０からｋ個のガンマ電圧を受信して一時的に格納し、それと同時にｋ個のガンマ電圧を出力する。
【００２１】
図２は、図１に示されたコンバータ部の回路構成を示す回路図である。ただし、図２では、複数の第１変換回路のうち一つの第１変換回路、及びこれに隣接する第２変換回路のみを示している。
【００２２】
図２を参照すると、コンバータ部１４０は、一定のレベル間隔で順次的に上げられた２ｊ個のガンマ電圧（．．．Ｖ６１、Ｖ６２、Ｖ６３、Ｖ６４）を受信する２ｊ個のガンマ電圧ライン（．．．ＶＬ６１、ＶＬ６２、ＶＬ６３、ＶＬ６４）を具備する。２ｊ個のガンマ電圧ライン（．．．ＶＬ６１、ＶＬ６２、ＶＬ６３、ＶＬ６４）は、第１及び第２変換回路（１４１、１４２）に共通して連結される。
【００２３】
第１変換回路１４１は、複数の第１ガンマ電圧選択回路１４１ｃからなり、第２データ信号に応答して２ｊ個のガンマ電圧（．．．Ｖ６１、Ｖ６２、Ｖ６３、Ｖ６４）のうち第２データ信号に対応する第１ガンマ電圧を選択して出力する。第２変換回路１４２は、複数の第２ガンマ電圧選択回路１４２ｃからなり、反転された第１データ信号に応答して、２ｊ個のガンマ電圧（．．．Ｖ６１、Ｖ６２、Ｖ６３、Ｖ６４）のうち第１データ信号に対応する第２ガンマ電圧を選択して出力する。
【００２４】
第１ガンマ電圧選択回路１４１ｃの各々は、２ｊ個のガンマ電圧ライン（．．．ＶＬ６１、ＶＬ６２、ＶＬ６３、ＶＬ６４）のうち、２ｉ（ｉは、１以上の自然数）番目のガンマ電圧を受信する２ｉ番目ガンマ電圧ラインと、２ｉ−１番目のガンマ電圧を受信する２ｉ−１番目ガンマ電圧ラインとの間に配置される。したがって、第１ガンマ電圧選択回路１４１ｃの各々は、第２データ信号に応答して２ｉ番目ガンマ電圧及び２ｉ−１番目ガンマ電圧のうち、何れか１つを選択して出力する。
【００２５】
第１ガンマ電圧選択回路１４１ｃの各々は、第１電圧選択部１４１ａ及び第１スイッチング部１４１ｂからなる。第１電圧選択部１４１ａは、受信された第２データ信号の最下位ビットＤ０に応答して、２ｉ番目ガンマ電圧と２ｉ−１番目ガンマ電圧のうち、何れか１つを出力する。
【００２６】
図２に示したように、第１電圧選択部１４１ａは、第１Ｎ型トランジスタＮＴ１及び第１Ｐ型トランジスタＰＴ１からなる。第１Ｎ型トランジスタＮＴ１は、第２データ信号の最下位ビットＤ０を受信する第１信号ラインに連結した制御端、２ｉ番目ガンマ電圧ラインから２ｉ番目ガンマ電圧を受信する入力端、及び第１電圧選択部１４１ａの出力端子に連結した出力端を含む。
【００２７】
第１Ｐ型トランジスタＰＴ１は、第２データ信号の最下位ビットＤ０を受信する第１信号ラインに連結した制御端、２ｉ−１番目ガンマ電圧ラインから２ｉ−１番目ガンマ電圧を受信する入力端、及び第１電圧選択部１４１ａの出力端子に連結した出力端を含む。
【００２８】
第２データ信号が６ビットからなると仮定すると、第１スイッチング部１４１ｂは、受信された第２データ信号の最下位ビットを除いた残りの５ビット（Ｄ１、Ｄ２、Ｄ３、Ｄ４、Ｄ５）に応答して第１電圧の選択部１４１ａから出力されたガンマ電圧を出力バッファ部１５０の方に伝送したり遮断したりする。そのため、第１スイッチング部１４１ｂは、第１電圧選択部１４１ａの出力端子と出力バッファ部１５０（図１に図示）の入力端子（ＯＰｉｎ）間に、直列で連結した第１乃至第５トランジスタ（ＳＴ１、ＳＴ２、ＳＴ３、ＳＴ４、ＳＴ５）を具備する。
【００２９】
第１乃至第５トランジスタＳＴ１〜ＳＴ５の制御端は、各々第２データ信号の残り５ビットＤ１〜Ｄ５を受信する第２乃至第６信号ラインに電気的に接続する。したがって、第１乃至第５トランジスタＳＴ１〜ＳＴ５は、残りの５ビットの論理状態によって、ターンオン、またはターンオフし、第１電圧選択部１４１ａから出力されたガンマ電圧を伝送したり遮断したりする。
【００３０】
一方、各第２ガンマ電圧選択回路１４２ｃは、２ｊ個のガンマ電圧ライン（．．．ＶＬ６１、ＶＬ６２、ＶＬ６３、ＶＬ６４）のうち、２ｉ番目ガンマ電圧ラインと２ｉ−１番目ガンマ電圧ラインとの間に配置され、第１データ信号に応答して２ｉ番目ガンマ電圧及び２ｉ−１番目ガンマ電圧のうち何れか１つを選択して出力する。
【００３１】
第２ガンマ電圧選択回路１４２ｃの各々は、第１電圧選択部１４１ａに対して反転された回路からなる第２電圧選択部１４２ａ、及び第１スイッチング部１４１ｂに対して反転された回路からなる第２スイッチング部１４２ｂからなる。第２電圧選択部１４２ａは、反転された第１データ信号の最下位ビットＤ０に応答して２ｉ番目ガンマ電圧と２ｉ−１番目ガンマ電圧のうち何れか１つを選択して出力する。第２スイッチング部１４２ｂは、反転された第１データ信号の残りのビットＤ１〜Ｄ５に応答して、第２電圧選択部１４２ａから出力されたガンマ電圧を出力バッファ１５０に伝送したり遮断したりする。
【００３２】
図２に示したように、第２電圧選択部１４２ａは、第２Ｐ型トランジスタ（ＰＴ２）及び第２Ｎ型トランジスタ（ＮＴ２）からなる。
【００３３】
第２Ｐ型トランジスタ（ＰＴ２）は、反転された第１データ信号の最下位ビット（Ｄ０）を受信する第７信号ラインに連結した制御端、２ｉ番目ガンマ電圧ラインから２ｉ番目ガンマ電圧を受信する入力端及び第２電圧選択部１４２ａの出力端子に連結した出力端を具備する。第２Ｎ型トランジスタ（ＮＴ２）は、反転された第１データ信号の最下位ビットＤ０を受信する第７信号ラインに連結した制御端、２ｉ−１番目ガンマ電圧ラインから、２ｉ−１番目ガンマ電圧を受信する入力端及び第２電圧選択部１４２ａの出力端子に連結した出力端を具備する。
【００３４】
第１データ信号が６ビットからなると仮定すると、第２スイッチング部１４２ｂは、反転された第１データ信号の最下位ビットを除いた残り５ビットＤ１〜Ｄ５に応答して、第２電圧選択部１４２ａから出力されたガンマ電圧を出力バッファ部１５０の方に伝送したり遮断したりする。そのため、第２スイッチング部１４２ｂは、第２電圧選択部１４２ａの出力端子と出力バッファ部１５０の入力端子（ＯＰｉｎ）との間に、直列に連結した第６乃至第１０トランジスタ（ＳＴ６、ＳＴ７、ＳＴ８、ＳＴ９、ＳＴ１０）を具備する。
【００３５】
第６乃至第１０トランジスタＳＴ６〜ＳＴ１０の制御端は、各々第１データ信号の残り５ビットＤ１〜Ｄ５を受信する第８乃至第１２信号ラインに電気的に接続する。したがって、第６乃至第１０トランジスタＳＴ６〜ＳＴ１０は、残りの５ビットの論理状態にしたがって、ターンオン、又はターンオフし、第２電圧選択部１４２ａから出力されたガンマ電圧を伝送したり遮断したりする。
【００３６】
図２に示した第１変換回路１４１に１１１１１１の第２データ信号が入力されると、複数の第１ガンマ電圧の選択回路１４１ｃに備えられた複数の第１電圧選択部１４１ａは、最下位ビットＤ０の論理１に応答して対応する２個のガンマ電圧のうち、大きい方のガンマ電圧を選択して出力する。第２データ信号の残り５ビットＤ１〜Ｄ５の論理１１１１１に応答して、複数の第１スイッチング部１４１ｂのうち、最後端の第１乃至第５トランジスタＳＴ１、ＳＴ２、ＳＴ３、ＳＴ４、ＳＴ５が全てターンオンとなり、最後端の第１電圧選択部１４１ａから出力された第６４ガンマ電圧Ｖ６４のみが出力バッファ部１５０に供給される。これにより、第１変換回路１４１は、１１１１１１の第２データ信号に対応する第６４ガンマ電圧Ｖ６４を選択することができる。
【００３７】
本発明の一例では、１１１１１１の第１データ信号がインバータ部１３０を通して反転された後、００００００の反転データ信号が第２変換回路１４２に供給されることとなる。複数の第２ガンマ電圧選択回路１４２ｃに備えられた複数の第２電圧選択部１４２ａは、最下位ビットＤ０の論理０に応答して対応する２個のガンマ電圧のうち、大きい方のガンマ電圧を選択して出力する。そして、複数の第２ガンマ電圧選択回路１４２ｃに備えられた複数の第２スイッチング部１４２ｂのうち、残り５ビットＤ１〜Ｄ５の論理０００００に応答して、最後端の第６乃至第１０トランジスタＳＴ６、ＳＴ７、ＳＴ８、ＳＴ９、ＳＴ１０が全てターンオンとなり、最後端の第２電圧選択部１４２ａから出力された第６４ガンマ電圧Ｖ６４のみが出力バッファ部１５０に伝送される。これにより、第２変換回路１４２は、００００００の反転データ信号を受信して１１１１１１の第１データ信号に対応する第６４ガンマ電圧Ｖ６４を選択することができる。
【００３８】
詳述した通り、６４階調を表現するためには、第１及び第２データ信号が１１１１１１で発生した場合に、第１変換回路１４１には、１１１１１１の第２データ信号が印加され、第２変換回路１４２には、００００００の反転された第１データ信号が印加される。したがって、ガンマ電圧ラインに印加されたガンマ電圧は、第１変換回路１４１内で１１１１１１の第２データ信号によって、電圧が上昇する方向でカップリングが発生する。特に、最下位ビットに連結された回路は他のビットに連結された回路よりも複雑な構成を有する為、最下位ビットが０の場合より最下位ビットが１の場合にカップリング現象によるガンマ電圧の変化幅が増加する。また、第２変換回路１４２内で、ガンマ電圧ラインに印加されたガンマ電圧は、００００００の反転になった第１データ信号によって、電圧が下降する方向でカップリングが発生する。したがって、６４階調を表現するにあたり、第１変換回路１４１では、第６４ガンマ電圧ラインＶＬ６４に印加された正常な第６４ガンマ電圧Ｖ６４より高い第１ガンマ電圧が出力され、第２変換回路１４２では、正常な第６４ガンマ電圧Ｖ６４より低い第２ガンマ電圧が出力される。
【００３９】
しかし、カップリング現象によって第１及び第２変換回路１４１、１４２から各々正常でない値で出力された第１及び第２ガンマ電圧は、表示パネルに印加された後、相互に相殺作用を起こす。その結果、使用者は、表示パネル上に第６４ガンマ電圧Ｖ６４に対応する６４階調が正常に表示されていることを認識できる。
【００４０】
このように第１及び第２変換回路１４１、１４２を互いに反転された回路で構成することにより、信号ラインとガンマ電圧ライン間のカップリング現象によりガンマ電圧が変化した場合にも、使用者は、階調の変化に関わらず正常に表示された映像を認識できる。
【００４１】
図３は、本発明の第２の実施形態に従う表示装置のブロック図であり、図４は、図３に示したデータドライバのブロック図である。ただし、図４に示した構成要素のうち、図１に示した構成要素と同一の構成要素に対しては、同一の参照符号を併記する。
【００４２】
図３を参照すると、表示装置は、映像を表示する液晶表示パネル２００を含む。液晶表示パネル２００を形成する基板には、映像を表示する表示部２１０が備わり、表示部２１０に隣接して、基板上には、ゲートドライバ２２０及びデータドライバ２３０が配置される。
【００４３】
表示部２１０は、基板上に備えられた複数のゲートラインＧＬ１〜ＧＬｎ、複数のデータラインＤＬ１〜ＤＬｍ、及び複数の画素を含む。複数のゲートラインＧＬ１〜ＧＬｎは、複数のデータラインＤＬ１〜ＤＬｍと絶縁されるように交差し、複数のゲートラインＧＬ１〜ＧＬｎと複数のデータラインＤＬ１〜ＤＬｍとが交差して形成された複数の画素領域には、複数の画素が各々配置される。
【００４４】
各画素は、ゲートラインＧＬ１〜ＧＬｎのうち対応するゲートラインと、データラインＤＬ１〜ＤＬｍのうち対応するデータラインとに連結された薄膜トランジスタＴｒ、及び薄膜トランジスタＴｒの出力端に連結された液晶キャパシタＣ１ｃを含む。図示してはいないが、各画素は、ストレージキャパシタをさらに含んでもよい。
【００４５】
ゲートドライバ２２０及びデータドライバ２３０は、表示部２１０に複数の画素を形成するための薄膜工程を通して、基板上に集積される。ゲートドライバ２２０は、複数のゲートラインＧＬ１〜ＧＬｎと電気的に接続され、データドライバ２３０は、複数のデータラインＤＬ１〜ＤＬｍと電気的に接続される。
【００４６】
表示装置は、ゲートドライバ２２０及びデータドライバ２３０を駆動するための制御信号を出力するタイミングコントローラ２４０並びにデータドライバ２３０に複数のガンマ電圧Ｖ１〜Ｖ６４を供給するガンマ電圧発生部２５０をさらに含む。本発明の一例として、タイミングコントローラ２４０及びガンマ電圧発生部２５０は、薄膜工程を通して基板上に集積される。
【００４７】
タイミングコントローラ２４０は、外部から制御信号Ｏ−ＣＳ及び映像信号Ｏ−Ｄａtａを受信して、ゲートドライバ２２０に垂直開始信号ＳＴＶ及びクロック信号ＣＫＶを供給し、データドライバ２３０に水平開始信号ＳＴＨ及びクロック信号ＣＫＨを供給する。
【００４８】
ゲートドライバ２２０は、互いに従属的に連結された複数のステージからなるシフトレジスタを含む。シフトレジスタは、ゲートオン電圧Ｖｏｎ及びゲートオフ電圧Ｖｏｆｆを受信し、垂直開始信号ＳＴＶに応答して動作を開始し、クロック信号ＣＫＶによって順次ゲートオン電圧Ｖｏｎを出力する。
【００４９】
データドライバ２３０は、図４に示した構成を有する。図４を参照すると、データドライバ２３０は、シフトレジスタ１１０、ラッチ部１２０、インバータ部１３０、コンバータ部１４０、出力バッファ部１５０、及び伝送ゲート回路１６０を含む。データドライバ２３０を説明するにあたり、図１との重複内容は省略する。
【００５０】
伝送ゲート回路１６０は、出力バッファ部１５０と、表示部２１０に備えられる複数のデータラインＤＬ１〜ＤＬｍとの間に配置される。伝送ゲート回路１６０は、出力バッファ部１５０からｋ個のガンマ電圧を受信し、ｋ個のガンマ電圧をマルチプレクシングする。
【００５１】
本発明の一例として、複数のデータラインＤＬ１〜ＤＬｍは、第１乃至第３グループに分割されるとする。すなわち、第１グループは、３ｋ−２番目データラインからなり、第２グループは、３ｋ−１番目データラインからなり、第３グループは、３ｋ番目データラインからなる。ここで、ｋは、１以上の自然数であり、ｍ／３と同一な数である。
【００５２】
したがって、伝送ゲート回路１６０は、第１乃至第３グループのうち、第１グループに含まれるデータラインを選択してｋ個のガンマ電圧を印加し、次に第２グループに含まれたデータラインを選択してｋ個のガンマ電圧を印加し、最後に第３グループに含まれたデータラインを選択しｋ個のガンマ電圧を印加する。
【００５３】
データドライバ２３０に備わったコンバータ部１４０は、図２に示した回路と同一の構成からなる。すなわち、コンバータ部１４０は、互いに反転された回路で構成された第１及び第２変換回路１４１、１４２を具備する。したがって、信号ラインとガンマ電圧ラインとのカップリング現象によって、ガンマ電圧が変化しても、使用者は、階調の変化と関係なく正常に表示された映像を認識することができる。
【図面の簡単な説明】
【００５４】
【図１】本発明の第１の実施形態に係るデータドライバのブロック図である。
【図２】図１に図示されたコンバータ部の回路構成を表した回路図である。
【図３】本発明の第２の実施形態に係る表示装置のブロック図である。
【図４】図３に図示されたデータドライバのブロック図である。
【符号の説明】
【００５５】
１００  データドライバ
１１０  シフトレジスタ
１２０  ラッチ部
１３０  インバータ部
１４０  コンバータ部
１５０  出力バッファ部
１６０  伝送ゲート回路
２００  液晶表示パネル
２１０  表示部
２２０  ゲートドライバ
２３０  データドライバ
２４０  タイミングコントローラ
２５０  ガンマ電圧発生部
【図１】
0005461001.tif 000002
【図２】
0005461001.tif 000003
【図３】
0005461001.tif 000004
【図４】
0005461001.tif 000005